(57)【要約】      （修正有）【課題】本来の発光表示及び反射表示の画質を落とすことなく、それぞれの特徴を活かし、使用環境の明暗にも対応し、高い視認性を確保できる表示部を備えた電子機器を提供する。【解決手段】発光表示部と反射表示部とを、それぞれの表示背面部にて一体化した両面表示部を備え、且つ、該両面表示部が一軸回転できるあるいは二軸回転できる接合構造で、電子機器本体に装着されている。【選択図】図１
2005055514.tif 000002
【特許請求の範囲】
【請求項１】
少なくとも一つの発光表示部と少なくとも一つの外光反射表示部を備えてなる電子機器であって、発光表示部と反射表示部とを、それぞれの表示背面部にて一体化した両面表示部を備え、該両面表示部が一軸回転できる接合構造で電子機器本体に装着されていることを特徴とする両面表示部を備えた電子機器。
【請求項２】
少なくとも一つの発光表示部と少なくとも一つの外光反射表示部を備えてなる電子機器であって、発光表示部と反射表示部とを、それぞれの表示背面部にて一体化した両面表示部を備え、該両面表示部が二軸回転できる接合構造で電子機器本体に装着されていることを特徴とする両面表示部を備えた電子機器。
【請求項３】
請求項１ないし２のいずれかに記載の両面表示部を備えた電子機器であって、両面表示部は、使用しない側の表示部への電源供給は停止されるものであることを特徴とする両面表示部を備えた電子機器。
【請求項４】
請求項１ないし３のいずれかに記載の両面表示部を備えた電子機器であって、両面表示部の発光表示部が、有機ＥＬ、無機ＥＬ、透過液晶、プラズマディスプレイ、発光ダイオードディスプレイ、電界放射ディスプレイ、蛍光表示管ディスプレイのうちから選択されたものであることを特徴とする両面表示部を備えた電子機器。
【請求項５】
請求項１ないし４のいずれかに記載の両面表示部を備えた電子機器であって、両面表示部の反射表示部が、反射液晶、電気泳動ディスプレイ、電子インクディスプレイ、エレクトロクロミックディスプレイ、可動フィルムディスプレイ、干渉効果ディスプレイのうちから選択されたものであることを特徴とする両面表示部を備えた電子機器。
【発明の詳細な説明】
【０００１】
【発明の属する技術分野】
本発明は、情報表示部を備えた電子機器に関し、特に、発光表示部と外光反射表示部とを備えた電子機器に関する。
【０００２】
【従来の技術】
近年、平面表示装置（  以下、フラットディスプレイとも言う）  が多くの分野、場所で使われており、情報化が進む中で、ますます、その重要性が高まっている。
現在、フラットディスプレイの代表と言えば液晶ディスプレイ（以下、ＬＣＤとも言う）であるが、ＬＣＤとは異なる表示原理に基づくフラットディスプレイとして、有機ＥＬ、無機ＥＬ、プラズマディスプレイパネル（以下、ＰＤＰとも言う）、ライトエミッティングダイオード表示装置（以下、ＬＥＤとも言う）、蛍光表示管表示装置（以下、ＶＦＤとも言う）、フィールドェミッションディスプレイ（以下、ＦＥＤとも言う）などの開発も活発に行われている。
これらの新しいフラットディスプレイはいずれも自発光型と呼ばれるもので、ＬＣＤとは次の点で大きく異なり、ＬＣＤには無い優れた特徴を有している。
ＬＣＤは、受光型と呼ばれ、液晶は自身では発光することはなく、外光を透過、遮断する、いわゆるシャッターとして動作し、表示装置を構成する。
このため光源を必要とし、一般に、バックライトが必要である。
これに対して自発光型は、装置自身が発光するため別光源が不要である。
ＬＣＤのような受光型では表示情報の様態に拘わらず常にバックライトが点灯し、全表示状態とほぼ変わらない電力を消費することになる。
これに対して自発光型は、表示情報に応じて点灯する必要のある箇所だけが電力を消費するだけなので、受光型表示装置に比較して電力消費が少ないという利点が原理的にある。
ＬＣＤでは、バックライト光源の光を遮光して暗状態を得るため、少量であっても光漏れを完全に無くすことは困難であるのに対して、自発光型では発光しない状態がまさに暗状態であるので理想的な暗状態を容易に得ることができコントラストにおいても自発光型が圧倒的に優位である。
また、ＬＣＤは液晶の複屈折による偏光制御を利用しているため、観察する方向こよって大きく表示状態が変わるいわゆる視野角依存性が強いが、自発光型ではこの問題がほとんど無い。
さらに、ＬＣＤは有機弾性物質である液晶の誘電異方性に由来する配向変化を利用するため、原理的に電気信号に対する応答時間が１ｍｓｅｃ以上である。
これに対して、開発が進められている上記の技術では電子、正孔といったいわゆるキャリア遷移、電子放出、プラズマ放電などを利用しているため、応答時間はｎｓｅｃ桁であり、液晶とは比較にならないほど高速であり、ＬＣＤの応答の遅さに由来する動画残像の問題が無い。
【０００３】
これらの中でも、特に、有機ＥＬの研究が活発である。
これらのうち発光型ディスプレイの原理を理解しやすい有機ＥＬについて詳しく説明する。
有機ＥＬはＯＥＬ（Ｏｒｇａｎｉｃ  ＥＬ）または有機ライトエミッティングダイオード（ＯＬＥＤ；Ｏｒｇａｎｉｃ  Ｌｉｇｈｔ  Ｅｍｉｔｔｉｎｇ  Ｄｉｏｄｅ）とも呼ばれている。
ＯＥＬ素子、ＯＥＬＤ素子は、陽極と陰極の一対の電極間に有機化合物を含む（ＥＬ層）を挟持した構造となっており、Ｔａｎｇ等の「アノード電極／  正孔注入層／  発光層／  カソード電極」の積層構造が基本になっている。（特許１５２６０２６号公報）
また、Ｔａｎｇ等が低分子材料を用いているの対して、中野らは、高分子材料を用いている。（特開平３−２７３０８７号公報）
また、正孔注入層や電子注入層を用いて効率を向上させたり、発光層に蛍光色素等をドーブして発光色を制御することも行われている。
尚、ここでは、画素電極と対向電極が陽極、陰極のいずれかに相当し、ー対の電極を構成する。
そして、一対の電極間に設けられる全ての層を、総称して、ＥＬ層と呼び、上記の正孔注入層、正孔輸送層、発光層、電子輸送層、電子注入層がこれに含まれる。
【０００４】
図６に有機ＥＬ素子の断面構造を示す。
有機ＥＬは、電極間に電場を印加し、ＥＬ層に電流を通じることで、発光するが、従来は一重頃励起状態から基底状態に戻る際の蛍光発光のみを利用していたが、最近の研究により、三重項励起状態から基底状態に戻る際の燐光発光を有効に利用することができるようになり、効率が向上している。
通常、ガラス基板やプラスチック基板といった透光性の支持基板（基板２）に一方の電極３を形成してから、発光層（有機ＥＬ層とも言う）４、対向電極５の順に形成して製造される。
基板２上に形成される電極３は陽電極（単に陽極、あるいはアノードとも言う）であっても陰電極（単に陰極、あるいはカソードとも言う）であっても良く、これによって図６のように、基板側に発光１０するボトムエミッション構造と、図７のように、基板逆方向に発光１０するトップエミッション構造がある。
トップエミッション構造の場合は基板は透光性である必要はない。
なお、アノード、カソードの位置は図６、図７に限定されるものではなく入れ替わっても良い。
【０００５】
透光性基板の光導波路効果によって失活される発光を低屈折率材料を用いて外部に取り出し、光取り出し効率を向上させる研究も行われている。
なお、図６、図７では図示しないが、有機ＥＬ素子は水分や酸素による特性劣化が著しいため、一般には、素子が水分や酸素に触れないように不活性ガスを充満した上で、別基板を用いたり、薄膜蒸着によりいわゆる封止を行ない信頼性を確保している。
ＥＬ層の形成方法としては、低分子材料では一般に真空蒸着法が用いられ、高分子材料では溶液化して、スピンコートや印刷法、転写法が用いられる。
異なる発光色材料を微細画素に形成してカラー表示装置を作製する場合には、低分子材料ではマスク蒸着法が用いられ、高分子材料ではインクジェット法や印刷法、転写法などが用いられる。
【０００６】
有機ＥＬ素子をディスプレイとして利用する場合、ＬＣＤと同様に、電極構成と駆動方法によりパッシブマトリクス方式とアクティブマトリクス方式に大別することが出来る。
パッシブマトリクス方式は、ＥＬ層を挟んで互いに交差する水平方向電極と垂直方向電極によりー対の電極を構成するもので構造が簡単であるが、画像を表示するためには時分割走査により走査線の本数倍だけ瞬間輝度を高めなければならず、通常のＶＧＡ以上のディスプレイでは１００００ｃｄ／ｍ２  を上回る有機ＥＬの瞬間輝度が必要であり、ディスプレイとしては実用上多くの問題がある。
アクティブマトリクス方式は、ＴＦＴを形成した基板に画素電極を形成し、ＥＬ層、対向電極を形成するもので、パッシブマトリクス方式に比べて構造は複雑であるが、発光輝度、消費電力、クロストークといった多くの点で有機ＥＬディスプレイとして有利である。
両方式は液晶の場合と同様に仕様、目的によって使い分けることができる。
以上、有機ＥＬについて説明したが、動作原理は異なるが他の発光ディスプレイでも同様なメリットがある。
【０００７】
このように多くの特徴を持った有機ＥＬ表示装置であるが、実用上、受光型のＬＣＤに比べて不利な点がある。
ＬＣＤでは前述したバックライトを光源とする透過型の他に外部光の反射を利用する反射型も多く使われている。
反射型ＬＣＤの構造を図８に示す。
電極（反射電極）３を形成した基板２と、電極（透明電極）６を形成した基板２にそれぞれ酌向膜２３を形成し配向処理を施し対向させて配置させるとともにその間に液晶２４を狭持した構成である。
観察面には偏光板２７を設置して液晶のシャッター効果により外光９の反射を明暗の２  ２  表示光として表示する。
電極（反射電極）３の代わりに反射偏光板を基板の外側に設置した２  枚偏光板タイプもある。
反射型ＬＣＤは光源を必要としないので透過型ＬＣＤや発光型である有機ＥＬなどに比較して消費電力が大幅に小さいという大きな特徴を持っている。
発光ディスプレイは前述したように高コントラスト、高速応答、広視野角といった優れた表示装置としての特徴を有しているが、反面、発光型であるため消費電力が多くなることが避けられない。
また、使用形態上で最も問題となるのは外部環境による視認性であり、発光型は暗い場所でも見易いが、反射型は暗い場所では見難く、逆に明るい場所では発光型は見難く反射型は見易く、使用環境に依存しない安定した表示装置が求められている。
【０００８】
このような問題に対して、これまでは、図１１に示す半透過液晶が用いられて来た。
半透過液晶は図８の反射液晶の電極（反射電極）３に開口部３ａを設けたものを各画素に形成した構造であり、さらにバックライトを備え反射表示と透過表示を同時に達成する優れた表示装置である。
しかし、反射表示と透過表示のそれぞれにおいて反射板の構造から明らかなようにそれぞれの反射率、透過率がいずれも通常の反射表示、透過表示に比較して低いものであるため画質が中途半端であるという問題と、図８、図１１から明らかなように構造が複雑であるという問題を残している。
透過液晶の動作原理である透過表示も高輝度という点では反射表示に無い優れた特徴であるので発光表示に含むこともある。
また、持開平１０−７８５８２には液晶ディスプレイと有機ＥＬディスプレイを積層してー体化することで、反射表示と発光表示を両立する表示装置が示されているが、半透過液晶と同様に構造が複雑であり製造が困難であるために実用化には至っていない。
【０００９】
【特許文献１】
持開平１０−７８５８２号公報
【００１０】
【発明が解決しようとする課題】
上記のように、使用環境の明暗に依存しない安定した表示装置で、構造が複雑でないものが求められていた。
本発明は、これに対応するもので、これまでの本来の発光表示及び反射表示の画質を落とすことなく、それぞれの特徴を活かし、使用環境の明暗にも対応し、高い視認性を確保できる表示部を備えた電子機器を提供しようとするものである。
【００１１】
【課題を解決するための手段】
本発明の両面表示部を備えた電子機器は、少なくとも一つの発光表示部と少なくとも一つの外光反射表示部を備えてなる電子機器であって、発光表示部と反射表示部とを、それぞれの表示背面部にて一体化した両面表示部を備え、該両面表示部が一軸回転できる接合構造で電子機器本体に装着されていることを特徴とするものである。
あるいは、本発明の両面表示部を備えた電子機器は、少なくとも一つの発光表示部と少なくとも一つの外光反射表示部を備えてなる電子機器であって、発光表示部と反射表示部とを、それぞれの表示背面部にて一体化した両面表示部を備え、該両面表示部が二軸回転できる接合構造で電子機器本体に装着されていることを特徴とするものである。
そして、上記のいずれかに記載の両面表示部を備えた電子機器であって、両面表示部は、使用しない側の表示部への電源供給は停止されるものであることを特徴とするものである。
そしてまた、上記のいずれかに記載の両面表示部を備えた電子機器であって、両面表示部の発光表示部が、有機ＥＬ、無機ＥＬ、透過液晶、プラズマディスプレイ、発光ダイオードディスプレイ、電界放射ディスプレイ、蛍光表示管ディスプレイのうちから選択されたものであることを特徴とするものである。
また、上記のいずれかに記載の両面表示部を備えた電子機器であって、両面表示部の反射表示部が、反射液晶、電気泳動ディスプレイ、電子インクディスプレイ、エレクトロクロミックディスプレイ、可動フィルムディスプレイ、干渉効果ディスプレイのうちから選択されたものであることを特徴とするものである。
【００１２】
【作用】
本発明の両面表示部を備えた電子機器は、上記のような構成にすることによって、これまでの本来の発光表示及び反射表示の画質を落とすことなくそれぞれの特徴を活かし、使用環境の明暗にも対応し、高い視認性を確保できる表示部を備えた電子機器の提供を可能としている。
具体的には、発光表示部と反射表示部とを、それぞれの表示背面部にて一体化した両面表示部を備え、該両面表示部が一軸回転できる接合構造で電子機器本体に装着されていることにより、あるいは、該両面表示部が二軸回転できる接合構造で電子機器本体に装着されていることにより、これを達成している。
【００１３】
そして、両面表示部は、使用しない側の表示部への電源供給は停止されるものであることにより、電力消費の少ないものとしている。
両面表示部の発光表示部としては、有機ＥＬ、無機ＥＬ、透過液晶、プラズマディスプレイ、発光ダイオードディスプレイ、電界放射ディスプレイ、蛍光表示管ディスプレイのうちから選択されたものが挙げられ、
両面表示部の反射表示部としては、反射液晶、電気泳動ディスプレイ、電子インクディスプレイ、エレクトロクロミックディスプレイ、可動フィルムディスプレイ、干渉効果ディスプレイのうちから選択されたものが挙げられる。
【００１４】
【発明の実施の形態】
本発明の実施の形態例を図に基づいて説明する。
図１（ａ）〜図１（ｄ）は本発明の両面表示部を備えた電子機器の実施の形態の第１の例の表示部の使用形態を説明するための概略斜視図で、図２（ａ）〜図２（ｃ）は本発明の両面表示部を備えた電子機器の実施の形態の第２の例の表示部の使用形態を説明するための概略斜視図で、図３（ａ）〜図３（ｃ）は本発明の両面表示部を備えた電子機器の実施の形態の第３の例の表示部の使用形態を説明するための概略斜視図で、図４は第１の例の両面表示部を示した図で、図５（ａ）〜図５（ｄ）は本発明の両面表示部を備えた電子機器として適用できる機器の例を挙げた図である。
図１〜図５において、１は表示部（両面表示部とも言う）、４はヒンジ、７は反射表示部（反射表示装置とも言う）、８は発光表示部（発光表示装置とも言う）、１９は操作部、２０は機器、２１はレンズである。
【００１５】
先ず、本発明の両面表示部を備えた電子機器の実施の形態の第１の例を図１に基づいて説明する。
第１の例の両面表示部を備えた電子機器は、発光表示部８と反射表示部７とを、それぞれの表示背面部にて一体化した両面表示部（表示部１）を備え、該両面表示部１が一軸回転できる接合構造で電子機器本体に装着されているもので、機器２０としては、例えば、図５（ａ）に示すような携帯電話、図５（ｂ）に示すようなＰＤＡ（Ｐｅｒｓｏｎａｌ    Ｄｅｇｉｔａｌ    Ａｓｓｉｓｔａｎｔ）タイプの端末や、図５（ｃ）に示すようなＰＣ（Ｐｅｒｓｏｎａｌ    Ｃｏｍｐｕｔｅｒ）や、図５（ｄ）に示すようなテレビ受像機、ビデオカメラなどが挙げられる。
尚、図１においては、機器２０は、図示する表示部１の他に、図示していなしが、その機器の種類により、図５に示す操作部１９やレンズ２１、カメラ部あるいは通信装置、アンテナやスピーカー、マイク、ペン入力機構等を備えている形態が挙げられる。
表示部１は、発光表示部８として有機ＥＬディスプレイ、反射表示部７として反射液晶ディスプレイを、図４に示すように、それぞれの非表示面をー体化したもので、省電力の為に、表示部１を構成する発光表示部８と反射表示部７のうち、使用されない方への電源供給を停止するものである。
【００１６】
表示部１は、２  軸回転ヒンジ（図１の４）により機器本体に接続されており、ヒンジ内部に電源、制御信号、映像信号等の電気配線を配設しており表示を制御することができるものである。
図１に示すように表示部１を開き、反転、閉じることで反射液晶ディスプレイと有機ＥＬディスプレイとを選択することができる。
図１（ａ）は反射表示部７を用いている状態で、図１（ｄ）は発光表示部８を用いている状態のもので、図１（ａ）から図１（ｄ）の状態への切り替えは、
まず、図１（ａ）の状態で、ヒンジ４を軸として、図１（ｂ）のように表示部を開き、次いで、開いた状態でヒンジを軸として図１（ｃ）のように表示部を回転し、発光表示部８側を外側（図１（ｂ）反射表示部７の側）にし、次いで、ヒンジ４を軸として、表示部全体を機器本体側にはめ込み閉じる。
尚、開閉のための軸回転を第１の軸回転とし、発光表示部８と発光表示部８との位置を変える軸回転を第２の軸回転とするもので、このような２つの回転を行えるヒンジを、ここでは、２軸回転ヒンジと言う。
このようにして、図１（ａ）の反射表示部７を用いている状態から、図１（ｄ）の発光表示部８を用いている状態に遷移することができる。
図１（ｄ）の発光表示部８を用いている状態から図１（ａ）の反射表示部７を用いている状態への遷移も、基本的には同様の動作を行えば良い。
これにより例えば、外光が強い日中の屋外では反射液晶を使い、屋内や夜間では有機ＥＬを使うことにより視認性の高い表示を常に得ることができる。
また、使用しない側の表示部は自動的に電源供給が停止するように制御し、表示部を備えた電子機器の従来の形態に比較して消費電力の増加を防ぐことができる。
この構成では機器本体に奥行きや中空部分が不要となり用途範囲が大幅に拡大される。
表示部が表裏回転することで発光表示部８（発光ディスプレイ）と反射表示部７（反射ディスプレイ）を選択すること、その回転する方向は機器の使用状態に対して水平方向、垂直方向、あるいはこれらの組み合わせの方向であって良いことは同様である。
ヒンジ４は電源、制御信号、映像信号等の電気信号を機器本体と表示部の間で接続するために、内部に配線を有する構造や導電性のユニバーサルジョイント、また、電磁誘導方式による無配線であっても良い。
【００１７】
図４は本例の電子機器に搭載する表示部１である。
反射表示部７と発光表示部８とを、それぞれの背面にて一体化した構造であり、別々の反射表示装置と発光表示装置とを利用して容易に作製することができる。
反射表示部７としては、前述した反射液晶の他に電気泳動ディスプレイ、電子インクディスプレイ、エレクトロクロミックディスプレイ、可動フィルムディスプレイ、干渉効果ディスプレイ等を用いても良い。
電気泳動ディスプレイの基本的な原理は図９に示すように、媒質２６に分散された荷電粒子２５を電界により観察者側に引き付けたり遠ざけたりすることにより外光の反射を利用してコントラストを得るものであり、例えば媒質を白色、粒子を黒色とすれば白黒の表示を行うことができる。
また、図１０のような微小回転粒子を利用したものもある。
これは明暗に塗り分けられた微小粒子を電界により回転させることでコントラストを得て表示を行うものであり、電子インクあるいはＥ  −インク（  イー・インク）  とも呼ばれる。
電気泳動素子としては［Ｎａｋａｍｕｒａらによる『Ｄｅｖｅｌｏｐｍｅｍｔｏｆ    Ｅｌｅｃｔｒｏｐｈｏｒｅｔｉｃ    Ｄｉｓｐｌａｙ    Ｕｓｉｎｇ    Ｍｉｃｒｏｃａｐｓｕｌａｔｅｄ    Ｓｕｓｐｅｎｓｉｏｎ』ＳＩＤ９８    Ｄｉｇｅｓｔ、ｐ１０１４（１９９８）］、［ｋｉｓｈｉらによる『Ｄｅｖｅｌｏｐｍｅｍｔ  ｏｆ    Ｉｎ−Ｐｌａｎｅ    ＥＰＤ』ＳＩＤ００    Ｄｉｇｅｓｔ、ｐ２４（２０００）］や［Ｃｏｍｉｓｋｅｙらによる『Ｅｌｅｃｔｒｏｐｈｏｒｅｔｉｃ    Ｉｎｋ：    Ａ    Ｐｒｉｎｔａｂｌｅ    Ｄｉｓｐｌａｙ    Ｍａｔｅｒｉａｌ』ＳＩＤ９７    Ｄｉｇｅｓｔ、ｐ７５（１９９７）］、［米国特許ＷＯ９９１０７６８−Ａ１『Ｅｌｅｃｔｒｏｐｈｏｒｅｔｉｃ    Ｄｉｓｐｌａｙ    ｂｙ    Ｅ−Ｉｎｋ』］、［Ｓｈｅｒｉｄｏｎらによる『Ａ    Ｌａｒｇｅ−Ａｒｅａ    Ｔｉｌｅｄ    Ｃｙｒｉｃｏｎ  Ｄｉｓｐｌａｙ』ＳＩＤ９８    Ｄｉｇｅｓｔ、ｐ２１１（１９９８）］、［Ｂｒｙｎｉｎｇによる『Ｒｅｖｅｒｓｅ−Ｅｍｕｌｓｉｏｎ    Ｅｌｅｃｔｒｏｐｈｏｒｅｔｉｃ    Ｄｉｓｐｌａｙ（ＲＥＥＤ）』ＳＩＤ９８    Ｄｉｇｅｓｔ、ｐ１０１８（１９９８）］などがある。
エレクトロクロミック素子としては、例えば［ＣａｓｔｅｌｌａｎｏによるＯｐｔ．  ＆Ｌａｓｅｒ    Ｔｅｃｈｎｏｌ．  （ＧＢ）７、６、２５９−２６５（１９７５）］などがある。
干渉効果ディスプレイとしては、例えば［Ｍｉｌｅｓによる『ＤｉｇｉｔａｌＰａｐｅｒ：Ｒｅｆｌｅｃｔｉｖｅ    Ｄｉｓｐｌｅｙｓ    Ｕｓｉｎｇ    Ｉｎｔｅｒｆｅｒｏｍｅｔｏｒｉｃ    Ｍｏｄｕｌａｔｉｏｎ』ＳＩＤ００    Ｄｉｇｅｓｔ、ｐ３２（２０００）］などがある。
発光表示部８としては、前述した有機ＥＬの他に、無機ＥＬ、透過液晶、プラズマディスプレイ、発光ダイオードディスプレイ、電界放射ディスプレイ、蛍光表示管ディスプレイ等を用いても良い。
【００１８】
次いで、本発明の両面表示部を備えた電子機器の実施の形態の第２の例を図２に基づいて説明する。
第２の例の両面表示部を備えた電子機器は、第１の例において、表示部１の開閉と、発光表示部８と反射表示部７との切替えの２軸回転に代え、図２（ｂ）に示すように、１軸回転ヒンジを用い、表示部の長手方向の１軸により発光表示部８と反射表示部７との切り替えを行うものであり、これ以外は、第１の例と同様である。
図２（ａ）の反射表示部７を用いている状態から、  １対のヒンジとともに表示部を機器２０から所定幅突き出し、前記１対のヒンジにより、図２（ｂ）に示すように軸回転を行い、この後、  １対のヒンジとともに表示部を機器２０にはめ込み閉じる。（図２（ｃ））
このように、図２（ｃ）に示す発光表示部８を用いた状態に遷移することができる。
図２（ｃ）に示す発光表示部８を用いた状態から図２（ａ）の反射表示部７を用いていた状態に遷移する場合も基本的には、同様に行う。
第２の例の場合も、第１の例の場合と同様な機器に対応できる。
第２の例では第１の例に比較してヒンジ部の構造、動作が単純なために破損し難い。
第１の例と同様に、外光が強い日中の屋外では反射液晶を使い、屋内や夜間では有機ＥＬを使うことにより視認性の高い表示を常に得ることができる。
また、使用しない側の表示部は自動的に電源供給が停止するように制御し、表示部を備えた電子機器の従来の形態に比較して消費電力の増加を防ぐことができる。
【００１９】
次いで、本発明の両面表示部を備えた電子機器の実施の形態の第３の例を図３に基づいて説明する。
第２の例の両面表示部を備えた電子機器は、第１の例において、表示部１の開閉と、発光表示部８と反射表示部７との切替えの２軸回転に代え、図３（ｂ）に示すように、１軸回転ヒンジを用い、表示部の短手方向の１軸により発光表示部８と反射表示部７との切り替えを行うものであり、これ以外は、第１の例、第２の例と同様である。
即ち、発光表示部８と反射表示部７との切替えのためのヒンジによる回転軸を第２の例の場合と直交する方向としたものである。
【００２０】
以上、本発明の実施例について説明したが、本発明はこれに限定されるものではない。
例えば、上記各例を組み合せたような構造としても良い。
【００２１】
【発明の効果】
本発明は、上記のように、本来の発光表示及び反射表示の画質を落とすことなくそれぞれの特徴を活かし、使用環境の明暗にも対応できて、高い視認性を確保できる表示部を備えた電子機器の提供を可能としている。
【図面の簡単な説明】
【図１】図１（ａ）〜図１（ｄ）は本発明の両面表示部を備えた電子機器の実施の形態の第１の例の表示部の使用形態を説明するための概略斜視図である。
【図２】図２（ａ）〜図２（ｃ）は本発明の両面表示部を備えた電子機器の実施の形態の第２の例の表示部の使用形態を説明するための概略斜視図である。
【図３】図３（ａ）〜図３（ｃ）は本発明の両面表示部を備えた電子機器の実施の形態の第３の例の表示部の使用形態を説明するための概略斜視図である。
【図４】第１の例の両面表示部を示した図である。
【図５】図５（ａ）〜図５（ｄ）は本発明の両面表示部を備えた電子機器として適用できる機器の例を挙げた図である。
【図６】ボトムエミッション構造の有機ＥＬ素子の断面を示した図である。
【図７】トップエミッション構造の有機ＥＬ素子の断面を示した図である。
【図８】反射型ＬＣＤの構造を示した断面図である。
【図９】電気泳動ディスプレイ（反射表示装置）の基本的な原理を示した図である。
【図１０】微小回転粒子を利用した反射表示装置の断面図である。
【図１１】半透過液晶構造を示した断面図である。
【符号の説明】
１                表示部（両面表示部とも言う）
２                基板
３                電極
３ａ              開口
４                ヒンジ
５                Ｅｌ層
６                対向電極（単に電極とも言う）
７                反射表示部（反射表示装置とも言う）
８                発光表示部（発光表示装置とも言う）
９                外光
１０              発光
１９              操作部
２０              機器
２１              レンズ
２２              表示光
２３              配向膜
２４              液晶
２７              偏光板
２８              バックライト
【図１】
2005055514.tif 000003
【図２】
2005055514.tif 000004
【図３】
2005055514.tif 000005
【図４】
2005055514.tif 000006
【図５】
2005055514.tif 000007
【図６】
2005055514.tif 000008
【図７】
2005055514.tif 000009
【図８】
2005055514.tif 000010
【図９】
2005055514.tif 000011
【図１０】
2005055514.tif 000012
【図１１】
2005055514.tif 000013